(57)【要約】【課題】破損や紛失等により、オペレータカードを使用できなくなった場合に、カード再発行までの期間も現金自動管理装置での取引を可能にする。【解決手段】オペレータカード等の識別情報を読み取るカード読取手段と、操作者が暗証番号等を入力するための個人識別番号入力手段と、前記識別情報等と前記暗証番号等とを照合し本人認証する本人認証手段とを設け、前記カード読取手段により他のオペレータカードの識別情報を読み取り、前記本人認証手段により操作者の本人認証ができた場合に取引処理を許可するようにした。【選択図】図１
2010020492.tif 000002
【特許請求の範囲】
【請求項１】
操作者が一のオペレータカードを使用して取引処理を行う現金自動管理装置であって、
前記オペレータカード等の識別情報を読み取るカード読取手段と、
前記操作者が暗証番号等を入力するための個人識別番号入力手段と、
前記識別情報等と前記暗証番号等とを照合し本人認証する本人認証手段と、
を設け、前記カード読取手段により他のオペレータカードの識別情報を読み取り、前記本人認証手段により操作者の本人認証ができた場合に前記取引処理を許可することを特徴とする現金自動管理装置。
【請求項２】
前記本人認証手段は、操作者の本人認証後さらに他の操作者が所持するオペレータカードの識別情報等と他の操作者が入力した暗証番号等とを照合し本人認証することを特徴とする請求項１記載の現金自動管理装置。
【請求項３】
前記他のオペレータカードは、他の操作者が所持するオペレータカードであることを特徴とする請求項１記載の現金自動管理装置。
【請求項４】
前記操作者が前記他のオペレータカードを使用して取引処理を行った場合には、前記一のオペレータカードを無効にすることを特徴とする請求項１乃至３記載の現金自動管理装置。
【発明の詳細な説明】
【技術分野】
【０００１】
本発明は、小売店等の店舗又はテナント等に設置され、釣銭準備金や売上金の現金管理を行う現金自動管理装置に関する。
【背景技術】
【０００２】
従来、複数のレジスターを使用する百貨店等に設置され、レジスター毎に準備される釣銭の供給管理と、レジスター毎の売上金収納の管理とを行う現金自動管理装置において、各レジスターの操作担当者と売上金の収納者に対して、それぞれＩＤカードを発行し、ＩＤカードの照合を行うことで、釣銭ボックスや売上金投入金庫の扉の開閉を行い、レジスター毎の釣銭準備金の供給や売上金の収納を誤りなく行うようにする技術があった（例えば、特許文献１参照）。
【特許文献１】特開平８−２９１６５９
【発明の開示】
【発明が解決しようとする課題】
【０００３】
しかしながら、上記従来の技術では、紛失、破損、データ破壊等により、カードが使用できなくなった場合には、カードの再発行手続きが必要であり、カードが再発行されるまでの期間は、現金自動管理装置を利用することができずに、レジスター責任者の手作業による現金出入処理を行なわなければならず、改ざん、人為的誤り、作業工数の増加等の問題点があった。
【課題を解決するための手段】
【０００４】
本発明は、前述の課題を解決するために次の手段を採用する。操作者が一のオペレータカードを使用して取引処理を行う現金自動管理装置であって、前記オペレータカード等の識別情報を読み取るカード読取手段と、前記操作者が暗証番号等を入力するための個人識別番号入力手段と、前記識別情報等と前記暗証番号等とを照合し本人認証する本人認証手段とを設け、前記カード読取手段により他のオペレータカードの識別情報を読み取り、前記本人認証手段により操作者の本人認証ができた場合に前記取引処理を許可するようにした。
【発明の効果】
【０００５】
本発明の現金自動管理装置によれば、紛失等によって、操作者が一のオペレータカードを使用できない場合に、カード読取手段により他のオペレータカードの識別情報を読み取り、本人認証手段により操作者の本人認証ができた場合に取引処理を許可するようにしたので、カードが再発行されるまでの期間でも現金自動管理装置を利用することができるため、レジスター責任者の手作業による現金出入処理は不要で、改ざん、人為的誤り、作業工数の増加を防止することができる。
【発明を実施するための最良の形態】
【０００６】
以下、本発明に係る実施形態例を、図面を用いて説明する。なお図面に共通する要素には同一の符号を付す。
【実施例１】
【０００７】
（構成）
図４は実施例１における現金自動管理装置１の外観図であり、図５は現金自動管理装置１の構成図である。
【０００８】
図４及び図５に示したように、現金自動管理装置１は、カード情報を読み取るためのカードリーダ部２と、操作者ＩＤ番号１０５ａや操作者暗証番号１０６ａ、取引情報等の入力を行うキー入力部３と、キー入力部３から入力した情報等を表示する表示部４と、レジの釣銭準備金の出金や売上金の入金等の紙幣又は硬貨の入出金口である紙幣入出金口５１及び硬貨入出金口６１と、紙幣又は硬貨の入出金処理や回収処理等を行う紙幣部５及び硬貨部６と、カードリーダ部２／キー入力部３／表示部４／紙幣入出金口５１／硬貨入出金口６１／紙幣部５／硬貨部６の各種制御や種別コード１０２／カード管理番号１０３／利用者レジ番号１０４／利用者ＩＤ番号１０５／利用者暗証番号１０６からなるデータベース７ａを構築して、登録・削除等を行う制御部７とから構成されている。
【０００９】
図６に、実施例１における現金自動管理装置１で使用するカードの種類と対応する取引内容を示す。
【００１０】
図６に示すように、現金自動管理装置１を操作するカードは、正規の操作用カードであるオペレータカード１００と、破損や紛失等で正規の操作用カードが使用できない際に使用する代替オペレータカード２００とから構成される。
【００１１】
さらに、オペレータカード１００は、通常、管理者が所持し、両替／締上げ／回収／データベースへの利用者等の登録・削除の取引処理を行う管理カード１００ａと、通常、レジ担当者が所持し、出金／入金／両替の取引処理を行うレジカード１００ｂとから構成され、代替オペレータカード２００は、管理カード１００ａと同様の取引が可能なゼネラルカード２００ａと、レジカード１００ｂと同様の取引が可能なパーソナルカード２００ｂとから構成されている。
【００１２】
また、図７に示すように、各カードの情報は７２バイト長であって、現金自動管理装置１で利用可能であることを示す装置判別情報１０１（例えば、「１０１０」のように表される。）と、カードの種類を示すカード種別情報１０２ａと、１１桁のカードの管理番号を示すシリアル番号１０３ａとを含み、カード発行時に書き込まれる。
【００１３】
また、図８に示すように、制御部７内には、種別コード１０２、カード管理番号１０３、利用者レジ番号１０４、利用者ＩＤ番号１０５、利用者暗証番号１０６がデータベース化されており、オペレータカード１００においては、カード管理番号１０３と利用者ＩＤ番号１０５とは一対一に関連付けられている。
【００１４】
（動作）
以上の構成により実施例１の現金自動管理装置１は、以下のように動作する。この動作を、図１を用いて、ステップごとに以下詳細に説明する。
【００１５】
Ｓ１：操作者は、カードリーダ部２にカードパスを行う。
【００１６】
Ｓ２：読み取ったカード情報の装置判別情報１０１から、現金自動管理装置１の専用カードかどうかを判断する。専用カードであれば、Ｓ３へ移行し、専用カードでなければ処理を終了する。
【００１７】
Ｓ３：読み取ったカード情報のカード種別情報１０２ａとシリアル番号１０３ａから、カード種別情報１０２ａに属するカード管理番号１０３と照合し、登録済みカードかどうかを判断する。シリアル番号１０３ａが、カード種別情報１０２ａに属するカード管理番号１０３内に存在すれば、登録済みカードとみなして、Ｓ４へ移行し、存在しなければ、新規カードとみなして、図２の新規カード登録処理（Ｂ）へ移行する。なお、カード種類が、レジカード１００ｂ又はパーソナルカード２００ｂの場合には、登録権限がないため、Ｓ４へ移行する。
【００１８】
Ｓ４：読み取ったカード情報のカード種別情報１０２ａからオペレータカード１００であるかどうかを判断する。オペレータカード１００（管理カード１００ａ又はレジカード１００ｂ）の場合にはＳ５へ移行し、代替オペレータカード２００（ゼネラルカード２００ａ又はパーソナルカード２００ｂ）の場合にはＳ１０へ移行する。
【００１９】
Ｓ５：キー入力部３から、操作者ＩＤ番号１０５ａを入力する。入力された操作者ＩＤ番号１０５ａが、シリアル番号１０３ａに対応した利用者ＩＤ番号１０５と一致すれば、照合ＯＫとして、Ｓ６へ移行し、所定回数だけ操作者ＩＤ番号１０５ａを再入力しても利用者ＩＤ番号１０５と一致しなければ、照合ＮＧとして処理を終了する。
【００２０】
Ｓ６：キー入力部３から、操作者暗証番号１０６ａを入力する。入力された操作者暗証番号１０６ａが、操作者ＩＤ番号１０５ａに対応した利用者暗証番号１０６と一致すれば、照合ＯＫとして、Ｓ７へ移行し、所定回数だけ操作者暗証番号１０６ａを再入力しても利用者暗証番号１０５と一致しなければ、照合ＮＧとして処理を終了する。
【００２１】
Ｓ７：レジカード１００ｂの場合のみ本処理を実行する。キー入力部３から、レジ番号１０４ａを入力する。入力されたレジ番号１０４ａが、シリアル番号１０３ａに対応した利用者レジ番号１０４と一致すれば、照合ＯＫとして、Ｓ８へ移行し、所定回数だけレジ番号１０４ａを再入力しても利用者レジ番号１０４と一致しなければ、照合ＮＧとして処理を終了する。
【００２２】
Ｓ１０：キー入力部３から、操作者ＩＤ番号１０５ａを入力する。入力された操作者ＩＤ番号１０５ａが、シリアル番号１０３ａに対応した利用者ＩＤ番号１０５と一致すれば、照合ＯＫとして、Ｓ１１へ移行し、所定回数だけ操作者ＩＤ番号１０５ａを再入力しても利用者ＩＤ番号１０５と一致しなければ、照合ＮＧとして処理を終了する。
【００２３】
Ｓ１１：キー入力部３から、操作者暗証番号１０６ａを入力する。入力された操作者暗証番号１０６ａが、操作者ＩＤ番号１０５ａに対応した利用者暗証番号１０６と一致すれば、照合ＯＫとして、Ｓ１２へ移行し、所定回数だけ操作者暗証番号１０６ａを再入力しても利用者暗証番号１０５と一致しなければ、照合ＮＧとして処理を終了する。
【００２４】
Ｓ１２：カード種別情報１０２ａに対応した、操作者ＩＤ番号１０５ａのオペレータカード１００の情報（カード管理番号１０３、利用者レジ番号１０４、利用者ＩＤ番号１０５、利用者暗証番号１０６）をデータベース７ａから削除する。例えば、ゼネラルカード２００ａを代替オペレータカード２００として使用した場合には、操作者の管理カード１００ａの情報をデータベース７ａから削除し、パーソナルカード２００ｂを代替オペレータカード２００として使用した場合には、操作者のレジカード１００ｂの情報をデータベース７ａから削除する。
【００２５】
Ｓ８：表示部４に表示された取引種類から希望する取引を選択し、キー入力部３から入力する。
【００２６】
Ｓ９：Ｓ８にて選択した取引を実行する。
【００２７】
Ｓ３にて新規カード登録処理（Ｂ）となった場合の動作を、図２を用いて、ステップごとに以下詳細に説明する。
【００２８】
Ｓ２０：キー入力部３から、登録したいレジ番号１０４ａを入力する。入力したレジ番号１０４ａは、データベース７ａにおいて、カード種別情報１０２ａに対応した利用者レジ番号１０４内に、新規レジ番号として登録される。
【００２９】
Ｓ２１：読み取ったカード情報のシリアル番号１０３は、データベース７ａにおいて、カード種別情報１０２ａに対応したカード管理番号１０３内に、新規シリアル番号として登録される。
【００３０】
Ｓ２２：キー入力部３から、登録したい操作者ＩＤ番号１０５ａを入力する。入力した操作者ＩＤ番号１０５ａは、データベース７ａにおいて、カード種別情報１０２ａに対応した利用者ＩＤ番号１０５内に、新規操作者ＩＤ番号として登録される。
【００３１】
Ｓ２３：キー入力部３から、登録したい操作者暗証番号１０６ａを入力する。入力した操作者暗証番号１０６ａは、データベース７ａにおいて、Ｓ２２で登録した操作者ＩＤ番号１０５ａに対応した利用者暗証番号１０６内に、新規操作者暗証番号として登録される。
【００３２】
Ｓ９にて登録・削除処理を選択した場合の動作を、図３を用いて、ステップごとに以下詳細に説明する。
【００３３】
Ｓ３０：キー入力部３から、追加登録又は削除したいレジ番号１０４ａを入力する。入力したレジ番号１０４ａは、データベース７ａにおいて、カード種別情報１０２ａに対応した利用者レジ番号１０４内に追加登録、又は利用者レジ番号１０４内から削除される。
【００３４】
Ｓ３１：キー入力部３から、追加登録又は削除したい操作者ＩＤ番号１０５ａを入力する。入力した操作者ＩＤ番号１０５ａは、データベース７ａにおいて、カード種別情報１０２ａに対応した利用者ＩＤ番号１０５内に追加登録、又は利用者ＩＤ番号１０５内から削除される。また、操作者ＩＤ番号１０５ａの削除時には対応する操作者暗証番号１０６ａも利用者暗証番号１０６内から同時に削除される。
【００３５】
Ｓ３２：キー入力部３から、追加登録したい操作者暗証番号１０６ａを入力する。入力した操作者暗証番号１０６ａは、データベース７ａにおいて、Ｓ３１で追加登録した操作者ＩＤ番号１０５ａに対応した利用者暗証番号１０６内に追加登録される。
【００３６】
（実施例１の効果）
以上のように、実施例１の現金自動管理装置によれば、紛失等によって、操作者がオペレータカードを使用できない場合に、カード読取手段にて代替オペレータカードの読み取りを行い、情報入力手段にて暗証番号等を入力し、本人認証を行うことで、前記オペレータカードと同様の操作を行うことを可能としたので、カードが再発行されるまでの期間でも現金自動管理装置を利用することができ、レジスター責任者の手作業による現金出入処理が不要で、改ざん、人為的誤り、作業工数の増加を防止することができる。
【００３７】
また、前記操作者のオペレータカード以外で前記現金自動管理装置の操作を行った場合には、前記操作者のオペレータカードを無効とするようにしたので、前記オペレータカードの紛失や盗難時にカードの悪用を防止することもできる。
【実施例２】
【００３８】
（構成）
実施例２の現金自動管理装置１の外観や構成は、図４〜図８に示したように、実施例１と同様である。
【００３９】
（動作）
以上の構成により実施例２の現金自動管理装置１は、以下のように動作する。この動作を、図９を用いて、ステップごとに以下詳細に説明する。
【００４０】
Ｓ３の新規カード登録処理（Ｃ）を除いて、Ｓ１〜Ｓ９までの動作は、実施例１と同様であるので、省略する。
【００４１】
Ｓ１０：キー入力部３から、操作者ＩＤ番号１０５ａを入力する。入力された操作者ＩＤ番号１０５ａが、シリアル番号１０３ａに対応した利用者ＩＤ番号１０５と一致すれば、照合ＯＫとして、Ｓ１１へ移行し、所定回数だけ操作者ＩＤ番号１０５ａを再入力しても利用者ＩＤ番号１０５と一致しなければ、照合ＮＧとして処理を終了する。
【００４２】
Ｓ１１：キー入力部３から、操作者暗証番号１０６ａを入力する。入力された操作者暗証番号１０６ａが、操作者ＩＤ番号１０５ａに対応した利用者暗証番号１０６と一致すれば、照合ＯＫとして、Ｓ４０へ移行し、所定回数だけ操作者暗証番号１０６ａを再入力しても利用者暗証番号１０５と一致しなければ、照合ＮＧとして処理を終了する。
【００４３】
Ｓ４０：操作者とは別の立会人がカードリーダ部２にカードパスを行う。読み取ったカード情報の装置判別情報１０１、カード種別情報１０２ａ、シリアル番号１０３ａから、現金自動管理装置１の専用カードであって、かつ登録済みのオペレータカード１００の場合には、Ｓ４１へ移行し、そうでない場合には処理を終了する。
【００４４】
Ｓ４１：キー入力部３から、立会人ＩＤ番号１０５ｂを入力する。入力された立会人ＩＤ番号１０５ｂが、シリアル番号１０３ａに対応した利用者ＩＤ番号１０５と一致すれば、照合ＯＫとして、Ｓ４２へ移行し、所定回数だけ立会人ＩＤ番号１０５ｂを再入力しても利用者ＩＤ番号１０５と一致しなければ、照合ＮＧとして処理を終了する。
【００４５】
Ｓ４２：キー入力部３から、立会人暗証番号１０６ｂを入力する。入力された立会人暗証番号１０６ｂが、立会人ＩＤ番号１０５ｂに対応した利用者暗証番号１０６と一致すれば、照合ＯＫとして、Ｓ１２へ移行し、所定回数だけ立会人暗証番号１０６ｂを再入力しても利用者暗証番号１０５と一致しなければ、照合ＮＧとして処理を終了する。
【００４６】
Ｓ１２：カード種別情報１０２ａに対応した、操作者ＩＤ番号１０５ａのオペレータカード１００の情報（カード管理番号１０３、利用レジ番号１０４、利用者ＩＤ番号１０５、利用者暗証番号１０６）をデータベース７ａから削除する。例えば、ゼネラルカード２００ａを代替オペレータカード２００として使用した場合には、操作者の管理カード１００ａの情報をデータベース７ａから削除し、パーソナルカード２００ｂを代替オペレータカード２００として使用した場合には、操作者のレジカード１００ｂの情報をデータベース７ａから削除する。
【００４７】
Ｓ３にて新規カード登録処理（Ｃ）となった場合の動作を、図１０を用いて、ステップごとに以下詳細に説明する。
【００４８】
Ｓ５０：操作者とは別の立会人がカードリーダ部２にカードパスを行う。読み取ったカード情報の装置判別情報１０１、カード種別情報１０２ａ、シリアル番号１０３ａから、現金自動管理装置１の専用カードであって、かつ登録済みのオペレータカード１００の場合には、Ｓ５１へ移行し、そうでない場合には処理を終了する。
【００４９】
Ｓ５１：キー入力部３から、立会人ＩＤ番号１０５ｂを入力する。入力された立会人ＩＤ番号１０５ｂが、シリアル番号１０３ａに対応した利用者ＩＤ番号１０５と一致すれば、照合ＯＫとして、Ｓ５２へ移行し、所定回数だけ立会人ＩＤ番号１０５ｂを再入力しても利用者ＩＤ番号１０５と一致しなければ、照合ＮＧとして処理を終了する。
【００５０】
Ｓ５２：キー入力部３から、立会人暗証番号１０６ｂを入力する。入力された立会人暗証番号１０６ｂが、立会人ＩＤ番号１０５ｂに対応した利用者暗証番号１０６と一致すれば、照合ＯＫとして、Ｓ２０へ移行し、所定回数だけ立会人暗証番号１０６ｂを再入力しても利用者暗証番号１０５と一致しなければ、照合ＮＧとして処理を終了する。
【００５１】
Ｓ２０：キー入力部３から、登録したいレジ番号１０４ａを入力する。入力したレジ番号１０４ａは、データベース７ａにおいて、カード種別情報１０２ａに対応した利用者レジ番号１０４内に、新規レジ番号として登録される。
【００５２】
Ｓ２１：読み取ったカード情報のシリアル番号１０３は、データベース７ａにおいて、カード種別情報１０２ａに対応したカード管理番号１０３内に、新規シリアル番号として登録される。
【００５３】
Ｓ２２：キー入力部３から、登録したい操作者ＩＤ番号１０５ａを入力する。入力した操作者ＩＤ番号１０５ａは、データベース７ａにおいて、カード種別情報１０２ａに対応した利用者ＩＤ番号１０５内に、新規操作者ＩＤ番号として登録される。
【００５４】
Ｓ２３：キー入力部３から、登録したい操作者暗証番号１０６ａを入力する。入力した操作者暗証番号１０６ａは、データベース７ａにおいて、Ｓ２２で登録した操作者ＩＤ番号１０５ａに対応した利用者暗証番号１０６内に、新規操作者暗証番号として登録される。
【００５５】
（実施例２の効果）
以上のように、実施例２の現金自動管理装置によれば、新規カード登録時及び代替オペレータカード使用時において、操作者のＩＤ番号照合及び暗証番号照合に加えて、操作者とは別の立会人のＩＤ番号照合及び暗証番号照合を実施するようにしたので、実施例１の効果に加えて、カードの不正登録や代替オペレータカードの不正使用をよりいっそう防止することができる。
【実施例３】
【００５６】
（構成）
実施例３の現金自動管理装置１の外観やハードウェア構成等は、図４、図５、図７に示したように、実施例１と同様であるが、オペレータカード１００にて、代替オペレータカード２００を代用する点と、図１３に示したように、データベース７ａの種別コード１０２に代替オペレータカード２００のコード（「１３」及び「１４」）を使用しない点が異なる。
【００５７】
図１２に実施例３におけるカードの種類と対応取引の例を示す。管理カード１００ａ及びレジカード１００ｂのカード種別情報及び対応取引は、実施例１と同様である。
【００５８】
また、オペレータカード１００にて、代替オペレータカード２００を代用する際に継承される取引制限は、オペレータカード１００の取引制限と同様である。
例えば、レジカード１００ｂを代替オペレータカード２００の代用として使用する場合には、出金、入金、両替の取引に制限される。
【００５９】
（動作）
以上の構成により実施例３の現金自動管理装置１は、以下のように動作する。この動作を、図１１を用いて、ステップごとに以下詳細に説明する。
【００６０】
Ｓ１〜Ｓ３、Ｓ５〜Ｓ９は、実施例１と同様であるので、省略する。
【００６１】
Ｓ６０：表示部４に、オペレータカードを代替オペレータカードとして使用するかどうかの選択画面を表示し、キー入力部３から選択を行う。
通常のオペレータカードとして使用する場合には、Ｓ５へ移行し、代替オペレータカードとして使用する場合には、Ｓ７０へ移行する。
【００６２】
Ｓ７０：キー入力部３から、操作者ＩＤ番号１０５ａを入力する。入力された操作者ＩＤ番号１０５ａが、カード種別情報１０２ａに対応した利用者ＩＤ番号１０５内に存在すれば、照合ＯＫとして、Ｓ７１へ移行し、所定回数だけ操作者ＩＤ番号１０５ａを再入力しても利用者ＩＤ番号１０５内に存在しなければ、照合ＮＧとして処理を終了する。
【００６３】
Ｓ７１：キー入力部３から、操作者暗証番号１０６ａを入力する。入力された操作者暗証番号１０６ａが、操作者ＩＤ番号１０５ａに対応した利用者暗証番号１０６と一致すれば、照合ＯＫとして、Ｓ７２へ移行し、所定回数だけ操作者暗証番号１０６ａを再入力しても利用者暗証番号１０５と一致しなければ、照合ＮＧとして処理を終了する。
【００６４】
Ｓ７２：カード種別情報１０２ａに対応した、操作者ＩＤ番号１０５ａのオペレータカード１００の情報（カード管理番号１０３、利用レジ番号１０４、利用者ＩＤ番号１０５、利用者暗証番号１０６）をデータベース７ａから削除する。例えば、図１３において、操作者ＩＤ番号１０５ａ「０００２」の操作者がシリアル番号１０３ａ「１２３４５６７８９０４」のレジカード１００ｂを代替オペレータカード２００として使用した場合には、種別コード１０２「１２」に属するカード管理番号１０３「１２３４５６７８９０３」、利用者レジ番号１０４「１」、利用者ＩＤ番号１０５「０００２」、利用者暗証番号１０６「９９９３」をデータベース７ａから削除し、種別コード１０２「１１」に属する操作者ＩＤ番号１０５ａ「０００２」の関連情報は削除されない。
【００６５】
（実施例３の効果）
以上のように、実施例３の現金自動管理装置１によれば、オペレータカード１００を代替オペレータカード２００の代用としても使用できるようにしたので、代替オペレータカード２００を別途準備する必要がなく、低コスト化することができる。
【００６６】
《その他の変形例》
以上の実施例の説明では、情報入力手段として、キー入力にて実施した例を説明したが、表示部と一体化してタッチパネル入力としてもよい。
【００６７】
また、読み取るカード情報は、磁気カード、ＩＣカード、バーコード情報などであってもよい。
【産業上の利用可能性】
【００６８】
以上述べたように、本発明は、操作用カードの破損や紛失等の際に代替処理手段を有する現金自動管理装置として広く用いることができる。
【図面の簡単な説明】
【００６９】
【図１】実施例１におけるフローチャートである。
【図２】実施例１における新規カード登録時のフローチャートである。
【図３】実施例１における操作者の追加登録又は削除時のフローチャートである。
【図４】実施例１における現金自動管理装置の外観図である。
【図５】実施例１における現金自動管理装置の構成図である。
【図６】実施例１におけるカードの種類と対応取引の例を示す図である。
【図７】実施例１におけるカードフォーマットの例を示す図である。
【図８】実施例１における制御部内のデータベースの構成例を示す図である。
【図９】実施例２におけるフローチャートである。
【図１０】実施例２におけるカード新規登録時のフローチャートである。
【図１１】実施例３におけるフローチャートである。
【図１２】実施例３におけるカードの種類と対応取引の例を示す図である。
【図１３】実施例３における制御部内のデータベースの構成例を示す図である。
【符号の説明】
【００７０】
１  現金自動取引装置
１００  オペレータカード
１００ａ  管理カード
１００ｂ  レジカード
１０１  装置判別情報
１０２  種別コード
１０２ａ  カード種別情報
１０３  カード管理番号
１０３ａ  シリアル番号
１０４  利用者レジ番号
１０４ａ  レジ番号
１０５  利用者ＩＤ番号
１０５ａ  操作者ＩＤ番号
１０５ｂ  立会人ＩＤ番号
１０６  利用者暗証番号
１０６ａ  操作者暗証番号
１０６ｂ  立会人暗証番号
２  カードリーダ部
２００  代替オペレータカード
２００ａ  ゼネラルカード
２００ｂ  パーソナルカード
３  キー入力部  
４  表示部
５  紙幣部
５１  紙幣入出金口
６  硬貨部
６１  硬貨入出金口
７  制御部
７ａ  データベース
【図１】
2010020492.tif 000003
【図２】
2010020492.tif 000004
【図３】
2010020492.tif 000005
【図４】
2010020492.tif 000006
【図５】
2010020492.tif 000007
【図６】
2010020492.tif 000008
【図７】
2010020492.tif 000009
【図８】
2010020492.tif 000010
【図９】
2010020492.tif 000011
【図１０】
2010020492.tif 000012
【図１１】
2010020492.tif 000013
【図１２】
2010020492.tif 000014
【図１３】
2010020492.tif 000015